(57)【要約】  ２枚構成でありながら、高い画質の撮像レンズ及びこれを用いた撮像装置を提供する。２枚構成の撮像レンズにおいて、値ｒ２／ｆが条件式（１）の下限値を上回ることで、第１レンズの像側面の曲率半径が小さくなりすぎず、周辺で湾曲した撮像面に対し補正過剰を防ぐことが出来る。また、第１レンズの焦点距離が長くなるため、前方主点位置が像面に近づき、撮像レンズ光学長が長くなり、小型化が困難となる。一方、値ｒ２／ｆが条件式（１）の上限値を下回ると、曲率半径が大きくなりすぎず、高像高の光線を跳ね上げることができ、周辺での主光線の入射角度を適切に設定できる。また、周辺で湾曲した固体撮像素子に対し、ペッツバール和が大きくなりすぎないため、画面周辺部まで良好な像面性能を得ることが可能になる。  ０．４０＜ｒ２／ｆ＜４．０      （１）ただし、ｒ２：前記第１レンズの像側面の曲率半径ｆ：全系の焦点距離
2012173026.tif 000002
【特許請求の範囲】
【請求項１】
光軸を中心として３次元に湾曲してなる固体撮像素子の撮像面に被写体像を結像させるための撮像レンズであって、物体側に設けられ正の屈折力を有し物体側に凸のメニスカスの第１レンズと、像側に設けられ正または負の屈折力を有する第２レンズと、前記第２レンズより物体側に設けられた開口絞りとからなり、以下の条件式を満足することを特徴とする撮像レンズ。
０．４０＜ｒ２／ｆ＜４．０      （１）
ただし、
ｒ２：前記第１レンズの像側面の曲率半径
ｆ：全系の焦点距離
【請求項２】
以下の条件式を満足することを特徴とする、請求項１に記載の撮像レンズ。
０．１５＜ＰＴＺ＜０．４０      （２）
ただし、
ＰＴＺ：前記第１レンズと前記第２レンズのペッツバール和
【請求項３】
以下の条件式を満足することを特徴とする、請求項１又は２に記載の撮像レンズ。
０．３０＜ｄ３／ｆ＜２．６０      （３）
ただし、
ｄ３：前記第２レンズの芯厚
【請求項４】
以下の条件式を満足することを特徴とする、請求項１〜３のいずれか１項に記載の撮像レンズ。
０．３０＜ｒ１／ｆ＜２．３０      （４）
ただし、
ｒ１：前記第１レンズの物体側面の曲率半径
【請求項５】
以下の条件式を満足することを特徴とする、請求項１〜４のいずれか１項に記載の撮像レンズ。
０．１０＜ｆＢ／ＴＬ＜０．６０      （５）
ただし、
ｆＢ：前記第２レンズの像側面と前記固体撮像素子との間隔
ＴＬ：レンズ全長
【請求項６】
以下の条件式を満足することを特徴とする、請求項１〜５のいずれか１項に記載の撮像レンズ。
−０．３８＜Ｙ／ｒＩ＜−０．０１      （６）
ただし、
ｒＩ：前記撮像面の曲率半径
Ｙ：最大像高
【請求項７】
以下の条件式を満足することを特徴とする、請求項１〜６のいずれか１項に記載の撮像レンズ。
ν１＞３０        （７）
ただし、
ν１：前記第１レンズのアッベ数
【請求項８】
以下の条件式を満足することを特徴とする、請求項１〜７のいずれか１項に記載の撮像レンズ。
ｎ１＞１．４０  且つ  ｎ２＞１．４０      （８）
ただし、
ｎ１：前記第１レンズの屈折率
ｎ２：前記第２レンズの屈折率
【請求項９】
前記第１レンズと前記第２レンズのうち少なくとも一方が、基板と基板上に形成されたレンズ部とを備えたレンズであることを特徴とする、請求項１〜６のいずれか１項に記載の撮像レンズ。
【請求項１０】
前記第１レンズが、以下の条件式を満足することを特徴とする、請求項９に記載の撮像レンズ。
ν１ｆ＞３０  且つ  ν１ｂ＞３０・・・・  （９）
ただし、
ν１ｆ：前記第１レンズの物体側面のアッベ数
ν１ｂ：前記第１レンズの像側面のアッベ数
【請求項１１】
前記第１レンズと前記第２レンズがそれぞれ、基板と基板上に形成されたレンズ部とを備えたレンズであり、以下の条件式を満足することを特徴とする、請求項９又は１０に記載の撮像レンズ。
ｎ１ｆ＞１．４０  且つ  ｎ２ｆ＞１．４０      （１０）
ただし、
ｎ１ｆ：前記第１レンズの物体側面の屈折率
ｎ２ｆ：前記第２レンズの物体側面の屈折率
【請求項１２】
以下の条件式を満足することを特徴とする、請求項１〜１１のいずれか１項に記載の撮像レンズ。
−０．２５＜ｆ１／ｆ２＜１．４０      （１１）
ただし、
ｆ１：前記第１レンズの焦点距離
ｆ２：前記第２レンズの焦点距離
【請求項１３】
前記固体撮像素子の撮像面は、光軸に対して回転対称であることを特徴とする、請求項１〜１２のいずれか１項に記載の撮像レンズ。
【請求項１４】
実質的にパワーを持たないレンズを更に有することを特徴とする、請求項１〜１３のいずれか１項に記載の撮像レンズ。
【請求項１５】
請求項１〜１４のいずれか１項に記載の撮像レンズと、撮像面が３次元に湾曲した固体撮像素子とを有することを特徴とする撮像装置。
【発明の詳細な説明】
【技術分野】
【０００１】
本発明は、撮像装置用の撮像レンズ及び撮像装置に関し、特に本発明は、CCD型イメージセンサあるいはCMOS型イメージセンサ等の固体撮像素子であって撮像面が湾曲してなる固体撮像素子に好適な撮像レンズ及びこれを用いた撮像装置に関する。
【背景技術】
【０００２】
近年、CCD（Charge Coupled Device）型イメージセンサあるいはCMOS（Complementary Metal Oxide Semiconductor）型イメージセンサ等の固体撮像素子を用いた撮像素子の高性能化、小型化に伴い、撮像装置を備えた携帯電話や携帯情報端末が普及している。これらの撮像装置に搭載される撮像レンズには、さらなる小型化、高画質化が求められている。又、携帯端末以外にも、小型の撮像装置の用途は広がっており、液晶技術などを用いた、所謂薄型テレビやPCディスプレイに搭載または付属する撮像装置や、ドライブレコーダーやバックモニター用の車載の撮像装置等への展開が期待されている。特に、近年急速に普及している、スマートフォンやタブレット型コンビュータなど、大サイズのディスプレイを備えかつ薄型で携帯性に優れた携帯情報機器には、高画質であるとともに、全長の短い撮像装置であることが求められている。【０００３】
このような用途の撮像装置用レンズとしては、１枚構成や２枚構成のものが小型化、低コスト化に有利なため広く使われている。しかし、近年撮像素子の高画素化による高画質化が要求されることにより、２枚構成の撮像レンズでは収差補正能力が不足し、高画質な画像を形成するには不十分となる。これに対し、撮像レンズを３枚以上で構成すれば光学性能が向上するが、その分レンズ全長が長くなり、またコストも増大する。【０００４】
一方、レンズに頼らず像面性能を向上させる手法として、撮像面を湾曲させる撮像装置も開発されている。例えば特許文献１では、固体撮像素子を多項式面形状に湾曲させることにより、レンズで発生する像面湾曲、歪曲収差をバランスよく補正し、小型で解像度の高い撮像装置を提供できることが開示されている。しかしながら、特許文献１においては、固体撮像素子はＣＩＦサイズ（３５２画素×２８８画素）、撮像レンズは１枚構成であり、色収差は十分に補正されていないので、さらに高画素の固体撮像素子を用いて高性能を有する撮像装置を得ることは望めない。【０００５】
又、特許文献２には、湾曲面に被写体像を結像することが開示されているが、ここでは結像の対象が銀塩フイルムと固体撮像素子との両方を想定しており、光学全長の短縮化という観点での考慮がなされていない。ロールフイルムを使用するカメラの構造上、レンズと撮像面の間隔を広く取らなければならないため、結果として、特許文献２に記載されるカメラ用レンズでは、光学全長の短縮化が不十分だった。さらに、特許文献２のカメラ用レンズは、Ｆ値がＦ１０以上と暗く、近年固体撮像素子の高密度化により１画素あたりの受光面積が縮小傾向にあるという実情に照らせば、十分な明るさを持っているレンズとはいえなかった。【０００６】
更に、特許文献３には、電子撮像面が光軸を含む断面において凹状に形成された撮像素子を備え、２つのレンズを用いて像面湾曲を良好に補正し得るようにした撮像光学系装置が記載されている。しかし、特許文献３で開示されたレンズは、F値は明るいものの、撮像面に入射する光束の主光線入射角いわゆるテレセントリック特性を得るために、レンズと撮像面の間隔が広く取られており、光学全長の短縮化が不十分だった。
【先行技術文献】
【特許文献】
【０００７】
【特許文献１】特開２００４−３５６１７５号公報
【特許文献２】特開平８−３３４６８４号公報
【特許文献３】特開２００４−１１８０７７号公報
【発明の開示】
【発明が解決しようとする課題】
【０００８】
本発明は、以上の課題に鑑みてなされたものであり、撮像面が湾曲してなる固体撮像素子に対し、２枚構成でありながら、Ｆ値が明るく、光学系全長が短く、高画質の得られる撮像レンズ及びこれを用いた撮像装置を提供することを目的とする。【０００９】
ここで、小型の撮像レンズの尺度であるが、本発明では下式を満たすレベルの小型化を目指している。この範囲を満たすことで、撮像装置全体の小型軽量化が可能となる。
Ｌ／２Ｙ＜１．1      （１０）
ただし、
Ｌ：撮像レンズ全系の最も物体側のレンズ面から像側焦点までの光軸上の距離
２Ｙ：固体撮像素子の撮像面に沿った対角線長（固体撮像素子の矩形実効画素領域の撮像面に沿った対角線長）【００１０】
ここで、像側焦点とは撮像レンズに光軸と平行な平行光線が入射した場合の像点をいう。なお、撮像レンズの最も像側の面と像側焦点位置との間に、光学的ローパスフィルタ、赤外線カットフィルタ、または固体撮像素子パッケージのシールガラス等の平行平板が配置される場合には、平行平板部分は空気換算距離としたうえで上記Ｌの値を計算するものとする。また、より望ましくは下式の範囲が良い。
Ｌ／２Ｙ＜１．０      （１０’）
【課題を解決するための手段】
【００１１】
請求項１に記載の撮像レンズは、光軸を中心に３次元に湾曲してなる固体撮像素子の撮像面に被写体像を結像させるための撮像レンズであって、物体側に設けられ正の屈折力を有し物体側に凸のメニスカスの第１レンズと、像側に設けられ正または負の屈折力を有する第２レンズと、前記第２レンズより物体側に設けられた開口絞りとからなり、以下の条件式を満足することを特徴とする。
０．４０＜ｒ２／ｆ＜４．０      （１）
ただし、
ｒ２：前記第１レンズの像側面の曲率半径
ｆ：全系の焦点距離【００１２】
一般的に、固体撮像素子の場合、撮像面に入射する光束の主光線入射角を３０°以下に収める必要があることが多く、撮像面が平面の固体撮像素子を用いると、像面前のレンズの周辺で強く光線を曲げることになり、これが倍率色収差の悪化の原因の一つとなっていた。これに対し、撮像面に負の曲率を付ける（つまり撮像面の周縁側が物体側に倒れるように３次元的に湾曲させる）ことで、主光線入射角が自然と緩和されることになり、無理に周辺像高の光線を曲げる必要がなくなり色収差が改善される。また、撮像面の短辺方向、長辺方向が共に撮像面周辺で物体側に曲面を持つことで、シリンドリカルで起きるような、撮像面の短辺と長辺の曲率差で起きる光学性能の劣化を抑制できる。これにより、収差補正性能が比較的低い２枚構成の撮像レンズでも、高画質な像を形成できる。【００１３】
更に、上記のように撮像面が平面の場合と比べると、撮像面に入射する光束の主光線入射角はいわゆるテレセントリック特性を取りやすくなるが、射出瞳が撮像面と近すぎると十分な角度を得ることができない。これに対し、第２レンズの像側面の後ろに絞りを置きテレセントリック特性を維持しようとすると、バックフォーカスを十分に取らなくてはいけなくなり、小型化には不向きである。そのため、第２レンズより物体側に開口絞りを設け、いわゆる前置絞りまたは中絞りのように絞り位置を撮像面から離すことで、撮像面と射出瞳の間隔が適切に保たれ、十分小型でありながらテレセントリック特性を維持することが可能になる。【００１４】
本特許の基本構成は、正の屈折力を有し物体側に凸のメニスカス形状の第１レンズ、正または負の屈折力を有する第２レンズからなる。値ｒ２／ｆが条件式（１）の下限値を上回ることで、第１レンズの像側面の曲率半径が小さくなりすぎず、周辺で物体側に向かって湾曲した撮像面に対し補正過剰を防ぐことが出来る。また、第１レンズの焦点距離が長くなりすぎず、前方主点位置が物体側に近づくため、撮像レンズ光学長が長くならず、小型化することができる。【００１５】
一方、値ｒ２／ｆが条件式（１）の上限値を下回ることで、曲率半径が大きくなりすぎず、高い像高の光線を十分に跳ね上げることができ、周辺での主光線の入射角度を適切に設定できる。また、周辺で湾曲した固体撮像素子に対し、ペッツバール和が大きくなりすぎないため、画面周辺部まで良好な像面性能を得ることが可能になる。また、より望ましくは下式の範囲がよい。
０．４５＜ｒ２／ｆ＜３．６      （１）’【００１６】
請求項２に記載の撮像レンズは、請求項１に記載の発明において、以下の条件式を満足することを特徴とする。
０．１５＜  ＰＴＺ  ＜０．４０      （２）
ただし、
ＰＴＺ：前記第１レンズと前記第２レンズのペッツバール和【００１７】
条件式（２）は、平面物体とそれに対する像面湾曲の関係を表した式（ペッツバール和）であり、像面湾曲を抑制するために、各レンズの焦点距離とレンズ材料の屈折力の組み合わせを最適化することが望ましい。固体撮像素子が平面の場合は、ペッツバール和は、小さくすることが求められる。しかしながら、２枚構成のレンズでは、光学面の面数が少ないため、ペッツバール和を小さく保とうとすると、レンズの曲率の自由度が奪われるため、球面収差や色収差の補正が不十分になってしまう恐れがある。【００１８】
そこで、条件式（２）の値が下限値を上回るようにすることで、ペッツバール和が小さくなりすぎないため、光学系の像面周辺の物体側への湾曲量が保たれると同時に、球面収差や色収差の補正可能になる。一方、条件式（２）の値が上限値を下回るようにすることで、光学系の像面周辺が物体側に過剰に湾曲することがなくなり、固体撮像素子周辺の像面に対し、良好な像面性能を得ることが出来る。また、より望ましくは下式の範囲がよい。
０．１８＜  ＰＴＺ  ＜０．３５      （２）’【００１９】
請求項３に記載の撮像レンズは、請求項１又は２に記載の発明において、以下の条件式を満足することを特徴とする。
０．３０＜ｄ３／ｆ＜２．６０      （３）
ただし、
ｄ３：前記第２レンズの芯厚【００２０】
条件式（３）は、第２レンズの芯厚を決める条件式である。条件式（３）の値が下限値を上回るようにすることで、第２レンズにおいて像高毎の光束が十分に分離できるようになり、第２レンズの像側面の非球面により、像高毎の収差補正が容易になる。一方、条件式（３）の値が上限値を下回るようにすることで撮像レンズを小型することができる。また、より望ましくは下式の範囲がよい。
０．３６＜ｄ３／ｆ＜２．３０      （３）’【００２１】
請求項４に記載の撮像レンズは、請求項１〜３のいずれかに記載の発明において、以下の条件式を満足することを特徴とする。
０．３０＜ｒ１／ｆ＜２．３０      （４）
ただし、
ｒ１：前記第１レンズの物体側面の曲率半径【００２２】
条件式（４）は、第１レンズの物体側面の曲率半径を決める条件式である。条件式（４）の値が上限値を下回ることで、第１レンズの物体側面の屈折力を適度に維持することができ、第１レンズと第２レンズの合成主点を物体側へ配置することができ、撮像レンズ全長を短くすることが出来る。一方、条件式（４）の値が下限値を上回ることで、第１レンズ物体側面の屈折力が必要以上に大きくなりすぎず、第１レンズで発生する、高次の球面収差やコマ収差を小さく抑えることができる。また、より望ましくは下式の範囲がよい。
０．３２＜ｒ１／ｆ＜２．０３      （４）’【００２３】
請求項５に記載の撮像レンズは、請求項１〜４のいずれかに記載の発明において、以下の条件式を満足することを特徴とする。
０．１０＜ｆＢ／ＴＬ＜０．６０      （５）
ただし、
ｆＢ：前記第２レンズの像側面と前記固体撮像素子との間隔
ＴＬ：レンズ全長【００２４】
条件式（５）は、第２レンズと撮像面の間隔を決める条件式である。条件式（５）の値が下限値を上回ることで、赤外線カットフィルタやセンサのカバーガラスを挿入するための間隔を充分確保できる。第２レンズと撮像面の間隔が短くなることを抑えられるので、第２レンズの径の増大を防ぐことができる。一方、条件式（５）の値が上限値を下回ることで、第２レンズと撮像面の間隔が長くなりすぎず、小型化することができる。より望ましくは下式の範囲がよい。
０．１５＜ｆＢ／ＴＬ＜０．５５      （５）’【００２５】
請求項６に記載の撮像レンズは、請求項１〜５のいずれかに記載の発明において、以下の条件式を満足することを特徴とする。
−０．３８＜Ｙ／ｒＩ＜−０．０１      （６）
ただし、
ｒＩ：前記撮像面の曲率半径
Ｙ：最大像高【００２６】
条件式（６）は、撮像面を曲率半径で規定した場合の湾曲量を決める条件式である。条件式（６）の値が下限値を上回ることで、湾曲量を適度に維持することが出来るため、必要なテレセントリック特性を得ることが出来る。一方、条件式（６）の値が上限値を下回ることで、固体撮像素子の撮像面周辺部で物体側にせり出す湾曲量が大きくなりすぎず、撮像レンズの光軸と個体撮像素子中心とのズレによる性能劣化を低減することができるため、量産時における性能劣化が少なくなる。また、より望ましくは下式の範囲がよい。
−０．３４＜Ｙ／ｒＩ＜−０．０７      （６）’【００２７】
請求項７に記載の撮像レンズは、請求項１〜６のいずれかに記載の発明において、以下の条件式を満足することを特徴とする。
ν１＞３０          （７）
ただし、
ν１：前記第１レンズのアッベ数【００２８】
条件式（７）は、第１レンズの材料のアッベ数を決める条件式である。条件式（７）の値が下限値を上回ることで、軸上色収差を小さく維持できると共に、第１レンズの像側面が発散面であるため、周辺の光線が大きく跳ね上げられことによる画面周辺部での倍率色収差を小さく出来る。また、より望ましくは下式の範囲がよい。
ν１＞３４            （７）’【００２９】
請求項８に記載の撮像レンズは、請求項１〜７のいずれかに記載の発明において、以下の条件式を満足することを特徴とする。
ｎ１＞１．４０  且つ  ｎ２＞１．４０      （８）
ただし、
ｎ１：前記第１レンズの屈折率
ｎ２：前記第２レンズの屈折率【００３０】
条件式（８）は、第１レンズと第２レンズの材料の屈折率を決める条件式である。条件式（８）の値が下限値を上回ることで、ペッツバール和が大きくなりすぎないため、湾曲した固体撮像素子の撮像面に合わせることが出来る。また、レンズ周辺部の曲率が強くなりすぎないため、画面周辺部の倍率色収差を小さくすることが出来る。また、より望ましくは下式の範囲がよい。
ｎ１＞１．４９  且つ  ｎ２＞１．４９      （８）’【００３１】
請求項９に記載の撮像レンズは、請求項１〜６のいずれかに記載の発明において、前記第１レンズと前記第２レンズのうち少なくとも一方が、基板と基板上に形成されたレンズ部とを備えたレンズであることを特徴とする。【００３２】
第１レンズと第２レンズのうち少なくとも一方を、平板である基板（樹脂またはガラス）上に、レンズ部を成形したレンズを用いることにより、各レンズ部の物体側面、像側面を構成する材料を変更可能なため、色収差や像面を良好にすることが出来る。また、このようなレンズは、基板（樹脂またはガラス）上に、一度に多数個のレンズ部を成形した後、個々に切断して個片化することで作製可能なため、コストを低減させることが出来る。このようなレンズは、例えば特開２０１１−０２８２１３号公報に記載の製造方法を用いて形成できる。【００３３】
請求項１０に記載の撮像レンズは、請求項９に記載の発明において、以下の条件式を満足することを特徴とする。
ν１ｆ＞３０    且つ  ν１ｂ＞３０        （９）
ただし、
ν１ｆ：前記第１レンズの物体側面のアッベ数
ν１ｂ：前記第１レンズの像側面のアッベ数【００３４】
条件式（９）は、第１レンズの材料のアッベ数を決める条件式である。条件式（９）の値が下限値を上回ることで、軸上色収差を小さく維持できると共に、第１レンズの像側面が発散面であるため、周辺の光線が大きく跳ね上げられことによる画面周辺部での倍率色収差を小さく出来る。また、より望ましくは下式の範囲がよい。
ν１ｆ＞３４  且つ  ν１ｂ＞３４        （９）’【００３５】
請求項１１に記載の撮像レンズは、請求項９又は１０に記載の発明において、前記第１レンズと前記第２レンズがそれぞれ、基板と基板上に形成されたレンズ部とを備えたレンズであり、以下の条件式を満足することを特徴とする。
ｎ１ｆ＞１．４０  且つ  ｎ２ｆ＞１．４０      （１０）
ただし、
ｎ１ｆ：前記第１レンズの物体側面の屈折率
ｎ２ｆ：前記第２レンズの物体側面の屈折率【００３６】
条件式（１０）は、第１レンズと第２レンズの材料の屈折率を決める条件式である。条件式（１０）の値が下限値を上回ることで、ペッツバール和が大きくなりすぎないため、湾曲した固体撮像素子の撮像面に合わせることが出来る。また、レンズ周辺部の曲率が強くりすぎないため、画面周辺部の倍率色収差を小さくすることが出来る。また、より望ましくは下式の範囲がよい。
ｎ１ｆ＞１．４９  且つ  ｎ２ｆ＞１．４９      （１０）’【００３７】
請求項１２に記載の撮像レンズは、請求項１〜１１のいずれかに記載の発明において、以下の条件式を満足することを特徴とする。
−０．２５＜ｆ１／ｆ２＜１．４０      （１１）
ただし、
ｆ１：前記第１レンズの焦点距離
ｆ２：前記第２レンズの焦点距離【００３８】
条件式（１１）は、第１レンズと第２レンズの焦点距離を決める条件式である。条件式（１１）の値が上限値を下回ることで、第１レンズの焦点距離に比べ、第２レンズの焦点距離が小さくなりすぎないため、バックフォーカスが長くなりすぎず、全長を短くできる。一方、条件式（１１）の値が下限値を上回ることで、固体撮像素子のカバーガラスやＩＲカットフィルタを入れる間隔が保持される。また、より望ましくは下式の範囲がよい。
−０．１０＜ｆ１／ｆ２＜１．１０      （１１）’【００３９】
請求項１３に記載の撮像レンズは、請求項１〜１２のいずれかに記載の発明において、前記固体撮像素子は、光軸に対して回転対称であることを特徴とする。「光軸に対して回転対称」とは、撮像面の中心から等距離に有る撮像面の湾曲量が一定であることをいう。【００４０】
近年固体撮像素子の画素ピッチが小さくなり、よりＦナンバーの明るいレンズが求められているため、焦点深度は短くなる傾向にある。そのため、フイルムのようにシリンドリカルに長辺方向にのみ曲げると、短辺方向の光学性能の劣化が起きることとなる。このような光学性能の劣化は、固体撮像素子の湾曲量を、固体撮像素子の中心から光軸直交方向の距離に応じて一定にすることによって避けることが出来る。【００４１】
請求項１４に記載の撮像レンズは、請求項１〜１３のいずれかに記載の発明において、実質的にパワーを持たないレンズを更に有することを特徴とする。つまり、請求項１の構成に、実質的にパワーを持たないダミーレンズを付与した場合でも本発明の適用範囲内である。【００４２】
請求項１５に記載の撮像装置は、請求項１〜１４のいずれかに記載の撮像レンズと、撮像面が３次元に湾曲した固体撮像素子とを有することを特徴とする。【００４３】
本発明の撮像装置は、２枚構成の撮像レンズを用いながらも、高画質な画像を取得できる。尚、本発明の撮像装置は、携帯電話や携帯情報端末、薄型テレビやＰＣディスプレイに搭載または付属する撮像装置や、ドライブレコーダーやバックモニター用途等にも用いることができる。特に、スマートフォンやタブレット型コンビュータなど、大サイズのディスプレイを備えかつ薄型の携帯情報機器など、全長の短い撮像レンズや撮像装置が求められる機器に対して有用である。
【発明の効果】
【００４４】
本発明によれば、撮像面が湾曲してなる固体撮像素子に対し、２枚構成でありながら、Ｆ値が明るく、光学系全長が短く、高画質の得られる撮像レンズ及びこれを用いた撮像装置を提供することができる。
【図面の簡単な説明】
【００４５】
【図１】本実施の形態に係る撮像装置の斜視図である。
【図２】本実施の形態に係る撮像装置の撮像レンズの光軸に沿った断面を模式的に示した図である。
【図３】本実施の形態に係る撮像装置を備えた携帯端末の一例である携帯電話機の外観図（ａ）（ｂ）で、（ａ）は入力部のある側から見た図、（ｂ）はその反対側から見た図である。
【図４】実施例１の撮像レンズの断面図である。
【図５】実施例１の撮像レンズの収差図（球面収差（ａ）、非点収差（ｂ）、歪曲収差（ｃ）、メリディオナルコマ収差図（ｄ））である。
【図６】実施例２の撮像レンズの断面図である。
【図７】実施例２の撮像レンズの収差図（球面収差（ａ）、非点収差（ｂ）、歪曲収差（ｃ）、メリディオナルコマ収差図（ｄ））である。
【図８】実施例３の撮像レンズの断面図である。
【図９】実施例３の撮像レンズの収差図（球面収差（ａ）、非点収差（ｂ）、歪曲収差（ｃ）、メリディオナルコマ収差図（ｄ））である。
【図１０】実施例４の撮像レンズの断面図である。
【図１１】実施例４の撮像レンズの収差図（球面収差（ａ）、非点収差（ｂ）、歪曲収差（ｃ）、メリディオナルコマ収差図（ｄ））である。
【図１２】実施例５の撮像レンズの断面図である。
【図１３】実施例５の撮像レンズの収差図（球面収差（ａ）、非点収差（ｂ）、歪曲収差（ｃ）、メリディオナルコマ収差図（ｄ））である。
【図１４】実施例６の撮像レンズの断面図である。
【図１５】実施例６の撮像レンズの収差図（球面収差（ａ）、非点収差（ｂ）、歪曲収差（ｃ）、メリディオナルコマ収差図（ｄ））である。
【図１６】実施例７の撮像レンズの断面図である。
【図１７】実施例７の撮像レンズの収差図（球面収差（ａ）、非点収差（ｂ）、歪曲収差（ｃ）、メリディオナルコマ収差図（ｄ））である。
【図１８】実施例８の撮像レンズの断面図である。
【図１９】実施例８の撮像レンズの収差図（球面収差（ａ）、非点収差（ｂ）、歪曲収差（ｃ）、メリディオナルコマ収差図（ｄ））である。
【図２０】実施例９の撮像レンズの断面図である。
【図２１】実施例９の撮像レンズの収差図（球面収差（ａ）、非点収差（ｂ）、歪曲収差（ｃ）、メリディオナルコマ収差図（ｄ））である。
【図２２】実施例１０の撮像レンズの断面図である。
【図２３】実施例１０の撮像レンズの収差図（球面収差（ａ）、非点収差（ｂ）、歪曲収差（ｃ）、メリディオナルコマ収差図（ｄ））である。
【図２４】実施例１１の撮像レンズの断面図である。
【図２５】実施例１１の撮像レンズの収差図（球面収差（ａ）、非点収差（ｂ）、歪曲収差（ｃ）、メリディオナルコマ収差図（ｄ））である。
【図２６】実施例１２の撮像レンズの断面図である。
【図２７】実施例１２の撮像レンズの収差図（球面収差（ａ）、非点収差（ｂ）、歪曲収差（ｃ）、メリディオナルコマ収差図（ｄ））である。
【図２８】レンズの面頂点から、レンズ面の高さｈにおける点までの光軸平行方向への変位量を示す図である。
【発明を実施するための形態】
【００４６】
以下、本発明の実施の形態を図面に基づいて説明する。図１は、本実施の形態にかかる撮像装置５０の上面図であり、図２は、図１の構成を、光軸を含む断面で切断してなる断面図である。
【００４７】
図１又は図２に示すように、撮像装置５０は光電変換部５１ａを有する固体撮像素子としてのＣＭＯＳ型撮像素子５１と、この撮像素子５１上の光電変換部５１ａに被写体像を撮像する撮像レンズ１０と、物体側からの光入射用の開口部を有する遮光部材からなる筐体２０とを備え、これらが一体的に形成されている。
【００４８】
図２に示すように、撮像素子５１は、所定の曲率半径で球状（光軸に対して回転対称であると好ましい）に湾曲しており、その湾曲した受光側の面の中央部に画素（光電変換素子）が２次元的に配置され、受光部としての光電変換部５１ａが形成され、その周囲には信号処理回路５１ｂが形成されている。この信号処理回路５１ｂは、各画素を順次駆動し信号電荷を得る駆動回路部と、各信号電荷をデジタル信号に変換するＡ／Ｄ変換部と、このデジタル信号を用い画像信号出力を形成する信号処理部等から構成されている。なお、撮像素子は、上述のＣＭＯＳ型のイメージセンサに限るものでなく、ＣＣＤ等の他のものを適用したものでもよい。
【００４９】
撮像素子５１の光電変換部５１ａ側には、スペーサＢを介し筐体２０の下端が固着され、更に、平行平板である光学的ローパスフィルタＦの側面部が筐体２０の下端内周に固着されている。光学的ローパスフィルタＦは、ここでは平板であるが、光電変換部５１ａに合わせて湾曲していても良い。
【００５０】
撮像素子５１の他方の面（光電変換部５１ａと反対側の面）には、外部回路との接続に用いられる複数の外部電極５２が形成されている。外部電極５２と不図示の外部回路（例えば、撮像装置を実装した上位装置が有する制御回路）とが接続されて、外部回路から撮像素子５１を駆動するための電圧やクロック信号の供給を受けたり、また、デジタルＹＵＶ信号を外部回路へ出力したりすることを可能としている。
【００５１】
なお、図示しないが、撮像素子５１の光電変換部５１ａと反対側の面に基板を配置し、該基板と撮像素子５１をワイヤボンディングで接続し、該基板の撮像素子と反対側の面に外部回路との接続に用いられる複数の外部電極を形成してもよい。
【００５２】
図２に示したように、遮光部材からなる筐体２０は、撮像素子５１の光電変換部５１ａ側において、撮像レンズ１０を保持している。
【００５３】
撮像レンズ１０は、物体側より順に、正の屈折力を有し物体側に凸のメニスカスの第１レンズＬ１、第２レンズＬ２、第２レンズＬ２より物体側に設けられた開口絞りＳからなり、撮像素子５１の光電変換面５１ａに、被写体像が結像されるよう構成されている。
【００５４】
第１レンズＬ１、第２レンズＬ２、光学的ローパスフィルタＦのいずれか一つの面には赤外光カットコートがなされている。なお、図示しないが、赤外カットコートのかわりに光学的ローパスフィルタより前方に赤外光カットフィルタを配置してもよい。
【００５５】
図２においては、撮像レンズ１０を構成するレンズＬ１，Ｌ２のフランジ部Ｌ１ｃ、Ｌ２ｃ間には、中央に開口を形成した円盤状の遮光部材ＳＨ１が配置されており、その中央開口が絞りＳを構成する。レンズＬ１，Ｌ２のフランジ部Ｌ１ｃ、Ｌ２ｃ同士は突き当てられており、また、レンズＬ２のフランジ部Ｌ２ｃと光学的ローパスフィルタＦとの間に、スペーサＳＰが設けられている。尚、レンズＬ１の物体側に絞りＳを設けても良い。
【００５６】
図３（ａ）（ｂ）は、本実施の形態に係る撮像装置５０を備えた携帯端末の一例である携帯電話機１００の外観図である。同図に示す携帯電話機１００は、表示画面Ｄ１及びＤ２を備えたケースとしての上筐体７１と、入力部である操作ボタン６０を備えた下筐体７２とがヒンジ７３を介して連結されている。撮像装置５０は、上筐体７１内の表示画面Ｄ２の下方に内蔵されており、撮像装置５０が上筐体７１の外表面側から光を取り込めるよう配置されている。なお、この撮像装置の位置は上筐体７１内の表示画面Ｄ２の上方や側面に配置してもよい。また携帯電話機は折りたたみ式に限るものではないのは、勿論である。
【００５７】
（実施例）
次に、上述した実施の形態に好適な実施例について説明する。但し、以下に示す実施例により本発明が限定されるものではない。各実施例に使用する記号は下記の通りである。
ｆ    ：撮像レンズ全系の焦点距離
ｆＢ  ：バックフォーカス
Ｆｎｏ：Ｆナンバー
２Ｙ  ：固体撮像素子の撮像面に沿った対角線長
ＥＮＴＰ：入射瞳位置（第１面から入射瞳位置までの距離）
ＥＸＴＰ：射出瞳位置（撮像面から射出瞳位置までの距離）
Ｈ１    ：前側主点位置（第１面から前側主点位置までの距離）
Ｈ２    ：後側主点位置（最終面から後側主点位置までの距離）
ｒ    ：曲率半径
ｔ    ：軸上面間隔
ｎｄ  ：レンズ材料のｄ線に対する屈折率
νｄ  ：レンズ材料のアッベ数
【００５８】
各実施例において、各面番号の後に「＊」又は［ＳＰＳ］（奇数次が含まれる非球面）が記載されている面が非球面形状を有する面であり、非球面の形状は、面の頂点を原点とし、光軸方向にＸ軸をとり、光軸と垂直方向の高さをｈとして以下の「数１」で表す。
【００５９】
【数１】
2012173026.tif 000003
ただし、
Ａｉ：ｉ次の非球面係数
Ｒ  ：曲率半径
Ｋ  ：円錐定数
【００６０】
（実施例１）
レンズデータを表１に示す。なお、これ以降（表のレンズデータを含む）において、１０のべき乗数（たとえば２．５×１０-02）を、Ｅ（たとえば２．５ｅ−００２）を用いて表すものとする。図４は実施例１のレンズの断面図である。図中Ｌ１は第１レンズ、Ｌ２は第２レンズ、Ｓは開口絞り、Ｆは光学的ローパスフィルタやＩＲカットフィルタ、固体撮像素子のシールガラス等を想定した平行平板であり、Ｉは撮像面を示す。図５（ａ）は実施例１の球面収差図、図５（ｂ）は非点収差図、図５（ｃ）は歪曲収差図、図５（ｄ）はメリディオナルコマ収差図である。ここで、球面収差図、コマ収差図及びメリディオナルコマ収差図において、ｇはｇ線、ｄはｄ線に対する球面収差量をそれぞれ表す。また、非点収差図において、実線Ｓはサジタル面、点線Ｍはメリディオナル面をそれぞれ表す（以下同じ）。第１レンズＬ１と第２レンズＬ２は単レンズであり、開口絞りＳは、第１レンズＬ１と第２レンズＬ２の間にある。また、第１レンズＬ１はガラスレンズ、第２レンズＬ２はガラスレンズである。
【００６１】
［表1］
実施例1          
SURF DATA
NUM.       r        d           nd       vd             有効半径(mm)
OBJ     INFINITY    400.0000
1*      0.8325    0.4528      1.75512  45.59           0.57
2*      1.0496    0.0854                               0.33
STO     INFINITY    0.1089                               0.28
4*    -20.0981    0.8354      1.75512  45.59           0.40
5*     -3.0092    0.3105                               0.81 
6     INFINITY    0.5500      1.51633  64.14
7     INFINITY    0.5000
IMG      -8.0901    0.0000
ASPHERICAL SURFACE
1:K=7.74111e-001,A4=-1.13037e-001,A6=4.67147e-001,A8=-1.14870e+001,
A10=1.15302e+002,A12=-6.23049e+002,A14=1.64718e+003,
A16=-1.73023e+003,A18=0.00000e+000,A20=0.00000e+000
2:K=2.19979e+000,A4=1.99300e-002,A6=8.33235e+000,A8=-2.05035e+002,
A10=2.21042e+003,A12=-4.98730e+003,A14=-2.72142e+004,
A16=7.48554e+003,A18=0.00000e+000,A20=0.00000e+000
4:K=-5.00000e+001,A4=-2.97004e-001,A6=6.75943e+000 ,A8=-1.09017e+002,
A10=8.00678e+002,A12=-2.79629e+003,A14=-1.65536e+002,
A16=3.55105e+004,A18=1.04851e+005,A20=-1.18486e+006
5:K=-1.40717e+000,A4=5.34896e-0040,A6=2.51189e-001,A8=-1.70186e+0000,
A10=2.16871e+000,A12=5.96340e+000,A14=-1.17631e+001,
A16=-2.80974e+001,A18=8.42130e+001,A20=-5.64269e+001
f=      2.15 mm
fB=     1.16 mm
Fno=    2.8
2Y=     2.84 mm
ENTP=   0.49 mm
EXTP=  -1.36 mm
H1=     0.13 mm
H2=    -1.66 mm
単レンズデータ
レンズ  始面    焦点距離(mm)
1       1       2.810 
2       4       4.590
【００６２】
（実施例２）
レンズデータを表２に示す。図６は実施例２のレンズの断面図である。図中Ｌ１は第１レンズ、Ｌ２は第２レンズ、Ｓは開口絞り、Ｆは光学的ローパスフィルタやＩＲカットフィルタ、固体撮像素子のシールガラス等を想定した平行平板であり、Ｉは撮像面を示す。図７（ａ）は実施例２の球面収差図、図７（ｂ）は非点収差図、図７（ｃ）は歪曲収差図、図７（ｄ）はメリディオナルコマ収差図である。第１レンズＬ１と第２レンズＬ２は単レンズであり、開口絞りＳは、第１レンズＬ１と第２レンズＬ２の間にある。また、第１レンズＬ１はガラスレンズ、第２レンズＬ２はガラスレンズである。
【００６３】
［表2］
実施例2
SURF DATA
NUM.       r         d            nd       vd            有効半径(mm)
OBJ     INFINITY    400.0000
1*      0.8425    0.4293       1.75512  45.59          0.55 
2*      1.0549    0.0805                               0.33 
STO     INFINITY    0.1039                               0.29
4*   -111.8889    0.8150       1.75512  45.59          0.39 
5*     -3.4420    0.3907                               0.74 
6     INFINITY    0.5500       1.51633  64.14 
7     INFINITY    0.5000
IMG      -6.2685    0.0000
ASPHERICAL SURFACE
1:K=7.76603e-001,A4=-1.12376e-001,A6=4.77421e-001,A8=-1.14984e+001,
A10=1.15241e+002,A12=-6.23151e+002,A14=1.64734e+003,
A16=-1.72924e+003,A18=0.00000e+000,A20=0.00000e+000
2:K=2.05589e+000,A4=8.12280e-004,A6=8.11398e+000,A8=-2.06773e+002,
A10=2.18520e+003,A12=-4.98730e+003,A14=-2.72142e+004,
A16=7.48554e+003,A18=0.00000e+000,A20=0.00000e+000
4:K=5.00000e+001,A4=-3.06866e-001,A6=6.84365e+000,A8=-1.08989e+002,
A10=7.97792e+002,A12=-2.81339e+003,A14=-2.01321e+002,
A16=3.57375e+004,A18=1.07130e+0050,A20=-1.19090e+006
5:K=-2.13723e+000,A4=2.30927e-004,A6=2.58270e-001,A8=-1.70087e+000,
A10=2.16246e+000,A12=5.95162e+000,A14=-1.17753e+00,A16=-2.81014e+001,
A18=8.42259e+001,A20=-5.63948e+001
f=      2.19 mm
fB=     1.25 mm
Fno=    2.8
2Y=     2.84 mm
ENTP=   0.45 mm
EXTP=  -1.40 mm
H1=     0.09 mm
H2=    -1.71 mm
単レンズデータ
レンズ  始面    焦点距離(mm)
1       1       2.960
2       4       4.690 
【００６４】
（実施例３）
レンズデータを表３に示す。図８は実施例３のレンズの断面図である。図中Ｌ１は第１レンズ、Ｌ２は第２レンズ、Ｓは開口絞り、Ｆは光学的ローパスフィルタやＩＲカットフィルタ、固体撮像素子のシールガラス等を想定した平行平板であり、Ｉは撮像面を示す。図９（ａ）は実施例３の球面収差図、図９（ｂ）は非点収差図、図９（ｃ）は歪曲収差図、図９（ｄ）はメリディオナルコマ収差図である。第１レンズＬ１と第２レンズＬ２は単レンズであり、開口絞りＳは、第１レンズＬ１と第２レンズＬ２の間にある。また、第１レンズＬ１はガラスレンズ、第２レンズＬ２はガラスレンズである。
【００６５】
［表3］
実施例3
SURF DATA
NUM.       r         d            nd       vd            有効半径(mm)
OBJ     INFINITY    400.0000
1*      0.8223    0.5455       1.57207  34.88          0.59
2*      1.0550    0.0603                               0.30
STO     INFINITY    0.0794                               0.29
4*     68.9380    0.6682       1.71539  43.29          0.38
5*     -2.5652    0.4598                               0.67
6     INFINITY    0.5500       1.51633  64.14
7     INFINITY    0.5000
IMG      -9.9213    0.0000
ASPHERICAL SURFACE
1:K=7.37941e-001,A4=-1.57593e-001,A6=3.49155e-001,A8=-1.17225e+001,
A10=1.14791e+002,A12=-6.24317e+002,A14=1.64366e+003,
A16=-1.73959e+003,A18=0.00000e+000,A20=0.00000e+000
2:K=2.17700e+000,A4=1.84993e-002,A6=8.27100e+000,A8=-2.07531e+002,
A10=2.18630e+003,A12=-4.98730e+003,A14=-2.72142e+004,
A16=7.48554e+003,A18=0.00000e+000,A20=0.00000e+000
4:K=-4.48684e+001,A4=-2.82950e-001,A6=6.84504e+000,A8=-1.06646e+002,
A10=8.14816e+002,A12=-2.77302e+003,A14=-5.12683e+002,
A16=3.18101e+004,A18=9.07088e+004,A20=-1.05427e+006
5:K=7.60680e-001,A4=-1.59596e-002,A6=2.08662e-001,A8=-1.73543e+000,
A10=2.15606e+000,A12=5.97318e+000,A14=-1.17416e+001,
A16=-2.80854e+001,A18=8.42082e+001,A20=-5.63702e+001
f=      2.17 mm
fB=     1.32 mm
Fno=    2.8
2Y=     2.84 mm
ENTP=   0.56 mm
EXTP=  -1.36 mm
H1=     0.19 mm
H2=    -1.68 mm
単レンズデータ
レンズ  始面    焦点距離(mm)
1       1       3.517
2       4       3.471
【００６６】
（実施例４）
レンズデータを表４に示す。図１０は実施例４のレンズの断面図である。図中Ｌ１は第１レンズ、Ｌ２は第２レンズ、Ｓは開口絞り、Ｆは光学的ローパスフィルタやＩＲカットフィルタ、固体撮像素子のシールガラス等を想定した平行平板であり、Ｉは撮像面を示す。図１１（ａ）は実施例４の球面収差図、図１１（ｂ）は非点収差図、図１１（ｃ）は歪曲収差図、図１１（ｄ）はメリディオナルコマ収差図である。第１レンズＬ１と第２レンズＬ２は単レンズであり、開口絞りＳは、第１レンズＬ１の物体側にある。また、第１レンズＬ１はガラスレンズ、第２レンズＬ２はガラスレンズである。
【００６７】
［表4］
実施例4
SURF DATA
NUM.       r         d            nd       vd            有効半径(mm)
OBJ     INFINITY    400.0000
STO     INFINITY    0.0500                               0.42
2     INFINITY    -0.0703                              0.45
3*      0.8936    0.7243       1.58376  56.27          0.51
4*      1.6461    0.4119                               0.51
5*      6.3882    0.9000       1.58376  56.27          0.68 
6*      4.6980    0.0534                               1.14
7     INFINITY    0.6220       1.51633  64.14
8     INFINITY    0.2000 
IMG     -16.5190    0.0000
ASPHERICAL SURFACE
3:K=-2.51009e-001,A4=3.77875e-002,A6=3.21731e-001,A8=-8.20229e-001,
A10=1.10419e+000,A12=0.00000e+000,A14=0.00000e+000,A16=0.00000e+000,
A18=0.00000e+000,A20=0.00000e+000
4:K=5.47356e+000,A4=4.45048e-003,A6=1.15005e+000,A8=-3.34570e+000,
A10=9.64316e+000,A12=0.00000e+000,A14=0.00000e+000,A16=0.00000e+000,
A18=0.00000e+000,A20=0.00000e+000
5:K=-6.96231e+000,A4=-3.74955e-001,A6=4.53090e-001,A8=-2.31109e+000,
A10=6.96332e+000,A12=-1.48006e+001,A14=1.32818e+001,A16=0.00000e+000,
A18=0.00000e+000,A20=0. 00000e+000
6:K=-1.12035e+001,A4=-1.00631e-001,A6=2.21635e-002,A8=-4.37315e-002,
A10=7.05668e-003,A12=0.00000e+000,A14=0.00000e+000,A16=0.00000e+000,
A18=0.00000e+000,A20=0.00000e+000
f=      2.39 mm
fB=     0.66 mm
Fno=    2.8
2Y=     2.87 mm
ENTP=   0.00 mm
EXTP=  -1.67 mm
H1=    -0.66 mm
H2=    -2.19 mm
単レンズデータ
レンズ  始面    焦点距離(mm)
1       3         2.472
2       5       -37.844
【００６８】
（実施例５）
レンズデータを表５に示す。図１２は実施例５のレンズの断面図である。図中Ｌ１は第１レンズ、Ｌ２は第２レンズ、Ｓは開口絞り、Ｆは光学的ローパスフィルタやＩＲカットフィルタ、固体撮像素子のシールガラス等を想定した平行平板であり、Ｉは撮像面を示す。図１３（ａ）は実施例５の球面収差図、図１３（ｂ）は非点収差図、図１３（ｃ）は歪曲収差図、図１３（ｄ）はメリディオナルコマ収差図である。第１レンズＬ１と第２レンズＬ２は単レンズであり、開口絞りＳは、第１レンズＬ１の物体側にある。また、第１レンズＬ１はガラスレンズ、第２レンズＬ２は樹脂レンズである。
【００６９】
［表5］
実施例5
SURF DATA
NUM.       r         d            nd       vd            有効半径(mm)
OBJ     INFINITY    400.0000
STO     INFINITY    0.0500                               0.43
2     INFINITY    -0.0755                              0.46 
3*      0.8758    0.6727       1.56758  56.29          0.51
4*      1.5975    0.4036                               0.51
5*      6.1433    0.8760       1.51751  56.34          0.68
6*      6.6593    0.1374                               1.10
7     INFINITY    0.6220       1.51633  64.14
8     INFINITY    0.2000
IMG     -10.4901    0.0000
ASPHERICAL SURFACE
3:K=-2.24372e-001,A4=4.73513e-002,A6=2.93037e-001,A8=-5.61696e-001,
A10=6.98038e-001,A12=0.00000e+000,A14=0.00000e+000,A16=0.00000e+000,
A18=0.00000e+000,A20=0.00000e+000
4:K=5.35554e+000,A4=1.65123e-002,A6=1.16449e+000,A8=-3.27017e+000,
A10=9.83740e+000,A12=0.00000e+000,A14=0.00000e+000,A16=0.00000e+000,
A18=0.00000e+000,A20=0.00000e+000
5:K=1.73115e+001,A4=-3.66290e-001,A6=4.46528e-001,A8=-2.43667e+000,
A10=7.21927e+000,A12=-1.39787e+001,A14=1.24475e+001,A16=0.00000e+000,
A18=0.00000e+000,A20=0.00000e+000
6:K=2.67581e+001,A4=-1.06058e-001,A6=9.96793e-003,A8=-3.59262e-002,
A10=3.09509e-003,A12=0.00000e+000,A14=0.00000e+000,A16=0.00000e+000,
A18=0.00000e+000,A20=0.00000e+000
f=      2.41 mm
fB=     0.75 mm
Fno=    2.8
2Y=     2.87 mm
ENTP=   0.00 mm
EXTP=  -1.80 mm
H1=    -0.49 mm
H2=    -2.21 mm
単レンズデータ
レンズ  始面    焦点距離(mm)
1       3        2.554
2       5       97.032
【００７０】
（実施例６）
レンズデータを表６に示す。図１４は実施例６のレンズの断面図である。図中Ｌ１は第１レンズ、Ｌ２は第２レンズ、Ｓは開口絞り、Ｆは光学的ローパスフィルタやＩＲカットフィルタ、固体撮像素子のシールガラス等を想定した平行平板であり、Ｉは撮像面を示す。図１５（ａ）は実施例６の球面収差図、図１５（ｂ）は非点収差図、図１５（ｃ）は歪曲収差図、図１５（ｄ）はメリディオナルコマ収差図である。第１レンズＬ１と第２レンズＬ２は単レンズであり、開口絞りＳは、第１レンズＬ１の物体側にある。また、第１レンズＬ１は樹脂レンズ、第２レンズＬ２はガラスレンズである。
【００７１】
［表6］
実施例6
SURF DATA
NUM.       r         d            nd       vd            有効半径(mm)
OBJ     INFINITY    400.0000
STO     INFINITY    0.0500                               0.41 
2     INFINITY    -0.0668                              0.44
3*      0.8502    0.7235       1.49473  64.23          0.50 
4*      2.0624    0.3916                               0.53
5*      6.3072    0.7989       1.73920  59.55          0.69
6*      6.1474    0.1757                               1.08
7     INFINITY    0.6220       1.51633  64.14
8     INFINITY    0.2000
IMG      -9.3955    0.0000
ASPHERICAL SURFACE
3:K=-2.61216e-001,A4=3.38293e-002,A6=2.90645e-001,A8=-4.47149e-001,
A10=1.25687e-001,A12=0.00000e+000,A14=0.00000e+000,A16=0.00000e+000,
A18=0.00000e+000,A20=0.00000e+000
4:K=5.75728e+000,A4=2.07335e-002,A6=1.31375e+000,A8=-3.19799e+000,
A10=1.04609e+001,A12=0.00000e+000,A14=0.00000e+000,A16=0.00000e+000,
A18=0.00000e+000,A20=0.00000e+000
5:K=2.92688e+001,A4=-3.50327e-001,A6=4.47162e-001,A8=-2.50094e+000,
A10=7.25365e+000,A12=-1.38200e+001,A14=1.15734e+001,A16=0.00000e+000,
A18=0.00000e+000,A20=0.00000e+000
6:K=2.39573e+001,A4=-1.09131e-001,A6=-1.08533e-002,A8=-2.06293e-002,
A10=1.53061e-003,A12=0.00000e+000,A14=0.00000e+000,A16=0.00000e+000,
A18=0.00000e+000,A20=0.00000e+000
f=      2.30 mm
fB=     0.79 mm
Fno=    2.8
2Y=     2.87 mm
ENTP=   0.00 mm
EXTP=   -1.70 mm
H1=     -0.42 mm
H2=     -2.05 mm
単レンズデータ
レンズ  始面    焦点距離(mm)
1       3         2.442
2       5       291.774
【００７２】
（実施例７）
レンズデータを表７に示す。図１６は実施例７のレンズの断面図である。図中Ｌ１は第１レンズ、Ｌ２は第２レンズ、Ｓは開口絞り、Ｆは光学的ローパスフィルタやＩＲカットフィルタ、固体撮像素子のシールガラス等を想定した平行平板であり、Ｉは撮像面を示す。図１７（ａ）は実施例７の球面収差図、図１７（ｂ）は非点収差図、図１７（ｃ）は歪曲収差図、図１７（ｄ）はメリディオナルコマ収差図である。第１レンズＬ１は、平行平板の基板ＬＳ１と、その物体側に形成したレンズ部Ｌ１ａと、基板ＬＳ１の像側に形成したレンズ部Ｌ１ｂとからなる多層構成のレンズであり、第２レンズＬ２は、平行平板の基板ＬＳ２と、その物体側に形成したレンズ部Ｌ２ａと、基板ＬＳ２の像側に形成したレンズ部Ｌ１２とからなる多層構成のレンズであり、開口絞りＳは、平行平板の基板ＬＳ１と、その物体側に形成したレンズ部Ｌ１ａとの間に形成されている。第１レンズＬ１及び第２レンズＬ２は、ガラスや樹脂などからなる例えばウェハサイズの透明な平行平板上に硬化性樹脂材料などを用いて成形型で転写するとともに樹脂材料を硬化させることにより、多数のレンズ部を並べて形成したいわゆるウェハレベルレンズを、レンズ部毎に切断して個片化して得られたレンズである。このような多層構成のレンズであっても、３次元に湾曲してなる固体撮像素子の撮像面に被写体像を結像させるための撮像レンズという観点で、樹脂やガラス等の単一素材からなるレンズが有するのと同様の光学性能を得つつ、さらに製造コストの低下を図ることが可能である。また、このようなレンズを用いることにより、各レンズ部の物体側面、像側面を構成する材料を変更可能なため、色収差や像面を良好にすることが出来る。また、ウェハレベルレンズは、一度に多数個のレンズ成型をすることが可能なため、コストを低減させることが出来る。
【００７３】
［表7］
実施例7
SURF DATA
NUM.       r         d            nd       vd            有効半径(mm)
OBJ     INFINITY   1000.0000
1SPS    0.8654    0.3338       1.51665  56.27          0.54
STO     INFINITY    0.3000       1.51690  61.89          0.43
3     INFINITY    0.0800       1.57208  34.88          0.47
4SPS    2.3025    0.3664                               0.49
5*     -6.3995    0.0575       1.51615  55.05          0.62
6     INFINITY    0.9632       1.51690  61.89          0.72 
7     INFINITY    0.4400       1.55296  39.50          1.3
8*   -151.6641    0.1619                               1.4
9     INFINITY    0.3500       1.47140  65.19
10     INFINITY    0.2000
IMG     -13.9634    0.0000
ASPHERICAL SURFACE
1:K=6.37674e-001,A3=-1.06002e-001,A4=1.65387e-001,A5=0.00000e+000,
A6=1.53651e-001,A7=0.00000e+000,A8=-1.47903e+001,A9=0.00000e+000,
A10=9.40919e+001,A11=0.00000e+000,A12=-2.63513e+002,A13=0.00000e+000,
A14=2.67490e+002,A15=0.00000e+000,A16=0.00000e+000,A17=0.00000e+000,
A18=0.00000e+000,A19=0.00000e+000,A20=0.00000e+000
4:K=1.56132e+001,A3=-6.35449e-002,A4=2.96711e-001,A5=0.00000e+000,
A6=-2.77475e+000,A7=0.00000e+000,A8=2.38186e+001,A9=0.00000e+000,
A10=-1.01043e+002,A11=0.00000e+000,A12=1.94244e+002,A13=0.00000e+000,
A14=-1.24473e+002,A15=0.00000e+000,A16=0.00000e+000,A17=0.00000e+000,
A18=0.00000e+000,A19=0.00000e+000,A20=0.00000e+000
5:K=-4.24641e+001,A4=-3.41997e-001,A6=4.50290e+000,A8=-1.26646e+002,
A10=1.44719e+003,A12=-8.99411e+003,A14=3.26300e+004,
A16=-6.87009e+004,A18=7.69040e+004,A20=-3.47942e+004
8:K=4.99667e+001,A4=-2.66052e-003,A6=-7.42506e-002,A8=5.51350e-002,
A10=-2.59968e-002,A12=4.85271e-003,A14=3.87280e-004,
A16=-2.36131e-004,A18=0.00000e+000,A20=0.00000e+000
f=      2.68 mm
fB=     0.60 mm
Fno=    2.8
2Y=     3.54 mm
ENTP=   0.25 mm
EXTP=   -1.94 mm
H1=     -0.48 mm
H2=     -2.51 mm
単レンズデータ
レンズ  始面    焦点距離(mm)
1       1         2.392
2       5       -13.033
【００７４】
（実施例８）
レンズデータを表８に示す。図１８は実施例８のレンズの断面図である。図中Ｌ１は第１レンズ、Ｌ２は第２レンズ、Ｓは開口絞り、Ｆは光学的ローパスフィルタやＩＲカットフィルタ、固体撮像素子のシールガラス等を想定した平行平板であり、Ｉは撮像面を示す。図１９（ａ）は実施例８の球面収差図、図１９（ｂ）は非点収差図、図１９（ｃ）は歪曲収差図、図１９（ｄ）はメリディオナルコマ収差図である。第１レンズＬ１は、平行平板の基板ＬＳ１と、その物体側に形成したレンズ部Ｌ１ａと、基板ＬＳ１の像側に形成したレンズ部Ｌ１ｂとからなる複合レンズであり、実施例７と同様にウェハレベルレンズを個片化して得られたレンズである。第２レンズＬ２はガラスの単レンズであり、開口絞りＳは、平行平板の基板ＬＳ１と、その物体側に形成したレンズ部Ｌ１ａとの間に形成されている。
【００７５】
［表８］
実施例8
SURF DATA
NUM.       r         d            nd       vd            有効半径(mm)
OBJ     INFINITY   1000.0000
1SPS    0.8655    0.3549       1.51665  56.27          0.55
STO     INFINITY    0.3000       1.51690  61.89          0.43
3     INFINITY    0.0851       1.57208  34.88          0.47
4SPS    2.3265    0.3580                               0.49
5*     -6.0376    1.3800       1.59628  36.26          0.61
6*    -49.7739    0.2492                               1.37
7     INFINITY    0.3500       1.47140  65.19
8     INFINITY    0.2000
IMG     -14.6765    0.0000
ASPHERICAL SURFACE
1:K=6.27071e-001,A3=-1.05382e-001,A4=1.62139e-001,A5=0.00000e+000,
A6=1.23709e-001,A7=0.00000e+000,A8=-1.47495e+001,A9=0.00000e+000,
A10=9.43630e+001,A11=0.00000e+000,A12=-2.63276e+002,A13=0.00000e+000,
A14=2.64398e+002,A15=0.00000e+000,A16=0.00000e+000,A17=0.00000e+000,
A18=0.00000e+000,A19=0.00000e+000,A20=0.00000e+000
4:K=1.56741e+001,A3=-6.70734e-002,A4=2.93198e-001,A5=0.00000e+000,
A6=-2.75460e+000,A7=0.00000e+000,A8=2.38459e+001,A9=0.00000e+000,
A10=-1.01612e+002,A11=0.00000e+000,A12=1.93062e+002,A13=0.00000e+000,
A14=-1.09145e+002,A15=0.00000e+000,A16=0.00000e+000,A17=0.00000e+000,
A18=0.00000e+000,A19=0.00000e+000,A20=0.00000e+000
5:K=-5.00000e+001,A4=-3.23880e-001,A6=4.50722e+000,A8=-1.26665e+002,
A10=1.44721e+003,A12=-8.99415e+003,A14=3.26301e+004,
A16=-6.87001e+004,A18=7.69079e+004,A20=-3.47784e+004
6:K=6.91292e+000,A4=-7.34637e-003,A6=-7.34338e-002,A8=5.51963e-002,
A10=-2.60199e-002,A12=4.83938e-003,A14=3.82653e-004,
A16=-2.37405e-004,A18=0.00000e+000,A20=0.00000e+000
f=      2.70 mm
fB=     0.69 mm
Fno=    2.8
2Y=     3.54 mm
ENTP=   0.27 mm
EXTP=  -1.94 mm
H1=    -0.50 mm
H2=    -2.53 mm
単レンズデータ
レンズ  始面    焦点距離(mm)
1       1         2.368
2       5       -11.661
【００７６】
（実施例９）
レンズデータを表９に示す。図２０は実施例９のレンズの断面図である。図中Ｌ１は第１レンズ、Ｌ２は第２レンズ、Ｓは開口絞り、Ｆは光学的ローパスフィルタやＩＲカットフィルタ、固体撮像素子のシールガラス等を想定した平行平板であり、Ｉは撮像面を示す。図２１（ａ）は実施例９の球面収差図、図２１（ｂ）は非点収差図、図２１（ｃ）は歪曲収差図、図２１（ｄ）はメリディオナルコマ収差図である。第１レンズＬ１はガラスの単レンズであり、第２レンズＬ２は、平行平板の基板ＬＳ２と、その物体側に形成したレンズ部Ｌ２ａと、基板ＬＳ２の像側に形成したレンズ部Ｌ２ｂとからなる複合レンズであり、実施例７と同様にウェハレベルレンズを個片化して得られたレンズである。開口絞りＳは、第１レンズＬ１と第２レンズＬ２との間に形成されている。
【００７７】
［表９］
実施例9
SURF DATA
NUM.       r         d            nd       vd            有効半径(mm)
OBJ     INFINITY    400.0000
1*      0.8350    0.4675       1.75512  45.59          0.58
2*      1.0291    0.0860                               0.33
STO     INFINITY    0.0839                               0.28
4*    -98.6942    0.2468       1.57207  34.88          0.37
5     INFINITY    0.4088       1.63923  38.83          0.52
6     INFINITY    0.1991       1.67930  47.29          0.75
7*     -2.8174    0.2566                               0.8
8     INFINITY    0.5500       1.51633  64.14
9     INFINITY    0.5000
IMG      -9.9960    0.0000
ASPHERICAL SURFACE
1:K=7.72606e-001,A4=-1.14493e-001,A6=4.49784e-001,A8=-1.15537e+001,
A10=1.15225e+002,A12=-6.22995e+002,A14=1.64730e+003,
A16=-1.73139e+003,A18=0.00000e+000,A20=0.00000e+000
2:K=2.18653e+000,A4=1.99096e-002,A6=8.21545e+000,A8=-2.07373e+002,
A10=2.22488e+003,A12=-4.98730e+003,A14=-2.72142e+004,
A16=7.48554e+003,A18=0.00000e+000,A20=0.00000e+000
4:K=5.00000e+001,A4=-3.08700e-001,A6=6.39047e+000,A8=-1.08707e+002,
A10=8.10304e+002,A12=-2.75193e+003,A14=-1.42721e+002,
A16=3.46124e+004,A18=1.00282e+005,A20=-1.17397e+006
7:K=-2.07569e+000,A4=4.19194e-003,A6=2.40795e-001,A8=-1.70631e+000,
A10=2.16973e+000,A12=5.96850e+000,A14=-1.17584e+001,
A16=-2.80976e+001,A18=8.42178e+001,A20=-5.63612e+001
f=      2.13 mm
fB=     1.19 mm
Fno=    2.8
2Y=     2.96 mm
ENTP=   0.51 mm
EXTP=  -1.40 mm
H1=     0.14 mm
H2=    -1.71 mm
単レンズデータ
レンズ  始面    焦点距離(mm)
1       1       2.879
2       4       4.236
【００７８】
（実施例１０）
レンズデータを表１０に示す。図２２は実施例１０のレンズの断面図である。図中Ｌ１は第１レンズ、Ｌ２は第２レンズ、Ｓは開口絞り、Ｉは撮像面を示す。図２３（ａ）は実施例１０の球面収差図、図２３（ｂ）は非点収差図、図２３（ｃ）は歪曲収差図、図２３（ｄ）はメリディオナルコマ収差図である。第１レンズＬ１は単レンズであり、第２レンズＬ２は単レンズであり、開口絞りＳは、第１レンズＬ１の物体側に形成されている。また、第１レンズＬ１は樹脂レンズ、第２レンズＬ２は樹脂レンズである。
【００７９】
［表１０］
実施例10
SURF DATA
NUM.       r         d            nd       vd            有効半径(mm)
OBJ     INFINITY    1e+010
STO     INFINITY    0.0500                               0.52
2     INFINITY    -0.1294                              0.53
3*      1.0556    0.5254       1.54470  56.19          0.55
4*      1.7302    0.5523                               0.59
5*    -54.0201    0.5730       1.54470  56.19          0.90
6*     -3.5854    1.7450                               1.23
IMG      -7.9000    0.0000
ASPHERICAL SURFACE
3:K=-2.55721e-002,A4=1.85271e-002,A6=2.21956e-001,A8=-7.24440e-001,
A10=2.22994e+000,A12=-2.72820e+000,A14=0.00000e+000,A16=0.00000e+000,
A18=0.00000e+000,A20=0.00000e+000
4:K=3.69038e+000,A4=9.23765e-002,A6=6.44387e-002,A8=-2.65755e-001,
A10=1.70831e+000,A12=-8.08348e-001,A14=0.00000e+000,A16=0.00000e+000,
A18=0.00000e+000,A20=0.00000e+000
5:K=-1.02970e+002,A4=2.28296e-002,A6=-1.51874e-001,A8=8.29048e-002,
A10=-1.09607e-001,A12=4.58055e-002,A14=-6.96157e-002,
A16=0.00000e+000,A18=0.00000e+000,A20=0.00000e+000
6:K=-5.00000e+001,A4=-3.11841e-002,A6=3.93524e-002,A8=-2.64489e-002,
A10=-4.11103e-002,A12=3.96287e-002,A14=-1.18093e-002,
A16=0.00000e+000,A18=0.00000e+000,A20=0.00000e+000
f=      2.95 mm
fB=     1.75 mm
Fno=    2.8
2Y=     4.53 mm
ENTP=   0.00 mm
EXTP=  -3.15 mm
H1=     0.19 mm
H2=    -2.95 mm
単レンズデータ
レンズ  始面    焦点距離(mm)
1       3       3.900
2       5       7.022
【００８０】
（実施例１１）
レンズデータを表１１に示す。図２４は実施例１１のレンズの断面図である。図中Ｌ１は第１レンズ、Ｌ２は第２レンズ、Ｓは開口絞り、Ｉは撮像面を示す。図２５（ａ）は実施例１１の球面収差図、図２５（ｂ）は非点収差図、図２５（ｃ）は歪曲収差図、図２５（ｄ）はメリディオナルコマ収差図である。第１レンズＬ１は単レンズであり、第２レンズＬ２は単レンズであり、開口絞りＳは、第１レンズＬ１の物体側に形成されている。また、第１レンズＬ１は樹脂レンズ、第２レンズＬ２は樹脂レンズである。
【００８１】
［表１１］
実施例11
SURF DATA
NUM.       r         d            nd       vd            有効半径(mm)
OBJ     INFINITY    1e+010
STO     INFINITY    0.0500                               0.53
2     INFINITY    -0.1083                              0.54
3*      1.2179    0.6467       1.54470  56.19          0.56
4*      2.1074    0.6012                               0.65
5*   -801.6790    0.6144       1.54470  56.19          1.03
6*     -3.2478    1.7330                               1.33
IMG      -6.8931    0.0000
ASPHERICAL SURFACE
3:K=-8.35886e-002,A4=6.33414e-003,A6=1.78765e-001,A8=-6.20559e-001,
A10=1.61548e+000,A12=-1.88543e+000,A14=0.00000e+000,A16=0.00000e+000,
A18=0.00000e+000,A20=0.00000e+000
4:K=4.38529e+000,A4=7.25749e-002,A6=-6.52342e-003,A8=-1.06614e-001,
A10=8.07426e-001,A12=-7.39941e-001,A14=0.00000e+000,A16=0.00000e+000,
A18=0.00000e+000,A20=0.00000e+000
5:K=-9.44828e+004,A4=3.08602e-002,A6=-1.06667e-001,A8=1.49256e-001,
A10=-2.36159e-001,A12=1.84400e-001,A14=-6.69319e-002,
A16=0.00000e+000,A18=0.00000e+000,A20=0.00000e+000
6:K=-3.46914e+001,A4=-4.40803e-002,A6=5.52254e-002,A8=-2.24381e-002,
A10=-2.51649e-002,A12=2.10058e-002,A14=-5.17048e-003,
A16=0.00000e+000,A18=0.00000e+000,A20=0.00000e+000
f=      3.00 mm
fB=     1.77 mm
Fno=    2.8
2Y=     4.53 mm
ENTP=   0.00 mm
EXTP=  -3.44 mm
H1=     0.38 mm
H2=    -3.00 mm
単レンズデータ
レンズ  始面    焦点距離(mm)
1       3       4.216
2       5       5.985
【００８２】
（実施例１２）
レンズデータを表１２に示す。図２６は実施例１２のレンズの断面図である。図中Ｌ１は第１レンズ、Ｌ２は第２レンズ、Ｓは開口絞り、Ｉは撮像面を示す。図２７（ａ）は実施例１２の球面収差図、図２７（ｂ）は非点収差図、図２７（ｃ）は歪曲収差図、図２７（ｄ）はメリディオナルコマ収差図である。第１レンズＬ１は単レンズであり、第２レンズＬ２は単レンズであり、開口絞りＳは、第１レンズＬ１の物体側に形成されている。また、第１レンズＬ１はガラスレンズ、第２レンズＬ２はガラスレンズである。
【００８３】
［表１２］
実施例12
SURF DATA
NUM.       r         d            nd       vd            有効半径(mm)
OBJ     INFINITY   1000.0000
STO     INFINITY    0.0500                               0.42
2     INFINITY    -0.0927                              0.42
3SPS    0.8823    0.4895       1.58313  59.44          0.44
4SPS    1.5817    0.4908                               0.48
5*    -44.9353    1.0676       1.58313  59.44          0.75
6*     -3.3784    0.9560                               1.29
IMG      -7.7317    0.0000
ASPHERICAL SURFACE
3:K=-3.18388e+000,A3=-1.08727e-001,A4=1.05335e+000,A5=0.00000e+000,
A6=-2.23388e+000,A7=0.00000e+000,A8=3.29672e+000,A9=0.00000e+000,
A10=5.01550e+001,A11=0.00000e+000,A12=-3.23782e+002,A13=0.00000e+000,
A14=7.94440e+002,A15=0.00000e+000,A16=-7.89940e+002,A17=0.00000e+000,
A18=0.00000e+000,A19=0.00000e+000,A20=0.00000e+000
4:K=-1.05882e+001,A3=5.21279e-002,A4=4.92990e-001,A5=0.00000e+000,
A6=4.06877e-001,A7=0.00000e+000,A8=2.99123e+000,A9=0.00000e+000,
A10=-7.51279e+000,A11=0.00000e+000,A12=-1.10928e+002,
A13=0.00000e+000,A14=9.20783e+002,A15=0.00000e+000,A16=-1.71585e+003,
A17=0.00000e+000,A18=0.00000e+000,A19=0.00000e+000,A20=0.00000e+000
5:K=-4.76637e+003,A4=-1.41107e-001,A6=4.21319e-001,A8=-3.29976e+000,
A10=9.80144e+000,A12=-1.60152e+001,A14=1.62835e+001,
A16=-1.62053e+001,A18=1.12444e+001,A20=8.13832e-001
6:K=0.00000e+000,A4=6.40584e-002,A6=-8.70658e-002,A8=6.62701e-002,
A10=-3.61565e-002,A12=1.01357e-003,A14=5.83060e-003,
A16=-2.39215e-004,A18=-1.33294e-003,A20=3.79676e-004
f=      2.35 mm
fB=     0.96 mm
Fno=    2.8
2Y=     3.58 mm
ENTP=   0.00 mm
EXTP=  -1.85 mm
H1=     0.32 mm
H2=    -1.48 mm
単レンズデータ
レンズ  始面    焦点距離(mm)
1       3       2.720
2       5       6.206
【００８４】
請求項に記載の条件式の値を表１３にまとめて示す。
【００８５】
【表１３】
2012173026.tif 000004
【００８６】
尚、近軸曲率半径として、超高精度三次元測定機（ＵＡ３Ｐ）などによる接触式の方法や非接触式の方法を用いて測定されたサグ量ｓから、下記のような式で与えられる近軸曲率半径の近似値ｒ’を用いてもよい。
ｒ’＝｛（ｈ）2＋（ｓ）2｝／（２ｓ）
但し、
ｈ：レンズ面における有効半径の１／１０の高さ
ｓ：面頂点から、レンズ面の高さｈにおける点までの光軸平行方向への変位量（図２８参照）
【００８７】
ここで、レンズ面の有効半径とは、最大像高に結像する全光線のうち最も外側（レンズの光軸から最も離れた位置）を通る光線がこのレンズ面とが交わる点から、光軸までの、光軸と垂直方向への高さを意味する。
【産業上の利用可能性】
【００８８】
本発明は、明細書に記載の実施例に限定されるものではなく、他の実施例・変形例を含むことは、本明細書に記載された実施例や思想から本分野の当業者にとって明らかである。例えば、実質的にパワーを持たないダミーレンズを更に付与した場合でも本発明の適用範囲内である。
【符号の説明】
【００８９】
１０ 撮像レンズ
２０ 筐体
５０ 撮像装置
５１ａ 光電変換部
５１ｂ 信号処理回路
５２ 外部電極
６０ 操作ボタン
７１ 上筐体
７２ 下筐体
７３ ヒンジ
１００ 携帯電話機
Ｂ，ＳＰ スペーサ
Ｆ 光学的ローパスフィルタ
Ｄ１，Ｄ２ 表示画面
Ｌ１ 第１レンズ
Ｌ２ 第２レンズ
Ｓ 開口絞り
ＳＨ１ 遮光部材
【図１】
2012173026.tif 000005
【図２】
2012173026.tif 000006
【図３】
2012173026.tif 000007
【図４】
2012173026.tif 000008
【図５】
2012173026.tif 000009
【図６】
2012173026.tif 000010
【図７】
2012173026.tif 000011
【図８】
2012173026.tif 000012
【図９】
2012173026.tif 000013
【図１０】
2012173026.tif 000014
【図１１】
2012173026.tif 000015
【図１２】
2012173026.tif 000016
【図１３】
2012173026.tif 000017
【図１４】
2012173026.tif 000018
【図１５】
2012173026.tif 000019
【図１６】
2012173026.tif 000020
【図１７】
2012173026.tif 000021
【図１８】
2012173026.tif 000022
【図１９】
2012173026.tif 000023
【図２０】
2012173026.tif 000024
【図２１】
2012173026.tif 000025
【図２２】
2012173026.tif 000026
【図２３】
2012173026.tif 000027
【図２４】
2012173026.tif 000028
【図２５】
2012173026.tif 000029
【図２６】
2012173026.tif 000030
【図２７】
2012173026.tif 000031
【図２８】
2012173026.tif 000032
【国際調査報告】
2012173026.tif 000033
2012173026.tif 000034
2012173026.tif 000035
2012173026.tif 000036